【手続補正書】
【提出日】平成21年11月2日(2009.11.2)
【手続補正１】
【補正対象書類名】明細書
【補正対象項目名】発明の名称
【補正方法】変更
【補正の内容】
【発明の名称】ディジタル情報受信装置、ディジタル情報受信方法、ディジタル情報送受信方法及びディジタル情報送信方法
【手続補正２】
【補正対象書類名】明細書
【補正対象項目名】００１１
【補正方法】変更
【補正の内容】
【００１１】
上記目的を達成するためには、例えば特許請求の範囲に記載されるように構成すればよい。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】特許請求の範囲
【補正対象項目名】全文
【補正方法】変更
【補正の内容】
【特許請求の範囲】
【請求項１】
ディジタル情報送信装置より送信されたディジタル映像情報を受信するディジタル情報受信装置において、
前記ディジタル映像情報には、少なくとも前記ディジタル映像情報の前記ディジタル情報受信装置に装てんされた記録媒体へのコピー禁止、一世代のみコピー可、コピー可を含む複数の状態のいずれかを示すコピー制御情報が付随しており、
送信された前記コピー制御情報と前記ディジタル映像情報とを受信する受信回路と、
前記受信回路で受信した前記ディジタル映像情報を前記記録媒体に記録再生する記録再生回路と、
前記受信回路で受信したディジタル映像情報、または前記記録再生回路によって前記記録媒体から再生されたディジタル映像情報を出力する出力回路と、
前記受信回路で受信した前記コピー制御情報に基づき前記記録再生回路の記録再生動作および前記出力回路からの出力動作を制御する制御回路とを備え、
前記制御回路は、受信した前記コピー制御情報が一世代のみコピー可を示す場合には、前記記録再生回路において、受信した前記ディジタル映像情報をこれ以上はコピー禁止であることを示す制御情報とともに前記記録媒体に記録し、記録された前記ディジタル映像情報を再生して前記出力回路より出力するときには、これ以上はコピー禁止であることを示す制御情報とともに出力するように制御し、
受信した前記コピー制御情報がコピー禁止を示す場合には、前記記録再生回路において、受信した前記ディジタル映像情報を前記記録媒体に再生可能な期間を制限して一時記録し、再生して出力する前記ディジタル映像情報に付随する制御情報をコピー禁止かつ一時記録を許さないことを示す情報に書換えることにより、一時記録された前記ディジタル映像情報を再生可能な期間内に再生して前記出力回路より出力するときには、コピー禁止かつ一時記録を許さないことを示す制御情報とともに出力するように制御することを特徴とするディジタル情報受信装置。
【請求項２】
ディジタル情報送信装置より送信されたディジタル映像情報をディジタル情報受信装置で受信するディジタル情報受信方法において、
前記ディジタル映像情報には、少なくとも前記ディジタル映像情報の前記ディジタル情報受信装置に装てんされた記録媒体へのコピー禁止、一世代のみコピー可、コピー可を含む複数の状態のいずれかを示すコピー制御情報が付随しており、
送信された前記コピー制御情報と前記ディジタル映像情報とを受信し、
受信した前記ディジタル映像情報を前記記録媒体に記録再生し、
受信した前記ディジタル映像情報、または前記記録媒体に記録し、再生した前記ディジタル映像情報を出力し、
受信した前記コピー制御情報が一世代のみコピー可を示す場合には、上記記録再生及び上記出力において、受信した前記ディジタル映像情報をこれ以上はコピー禁止であることを示す制御情報とともに前記記録媒体に記録し、記録された前記ディジタル映像情報を再生して出力するときには、これ以上はコピー禁止であることを示す制御情報とともに出力し、
受信した前記コピー制御情報がコピー禁止を示す場合には、上記記録再生及び上記出力において、受信した前記ディジタル映像情報を前記記録媒体に再生可能な期間を制限して一時記録し、再生して出力する前記ディジタル映像情報に付随する制御情報をコピー禁止かつ一時記録を許さないことを示す情報に書換えることにより、一時記録された前記ディジタル映像情報を再生可能な期間内に再生して出力するときには、コピー禁止かつ一時記録を許さないことを示す制御情報とともに出力することを特徴とするディジタル情報受信方法。
【請求項３】
ディジタル映像情報をディジタル情報送信装置より送信し、送信した前記ディジタル映像情報をディジタル情報受信装置で受信するディジタル情報送受信方法において、
前記ディジタル情報送信装置において、少なくとも前記ディジタル映像情報の記録媒体へのコピー禁止、一世代のみコピー可、コピー可を含む複数の状態のいずれかを示すコピー制御情報を生成し、
前記ディジタル映像情報を前記コピー制御情報とともに送信し、
前記ディジタル情報受信装置において、送信した前記コピー制御情報と前記ディジタル映像情報とを受信し、
受信した前記ディジタル映像情報を前記ディジタル情報受信装置に装てんされた記録媒体に記録再生し、
受信した前記ディジタル映像情報、または前記記録媒体に記録し、再生した前記ディジタル映像情報を出力し、
受信した前記コピー制御情報が一世代のみコピー可を示す場合には、上記記録再生及び上記出力において、受信した前記ディジタル映像情報をこれ以上はコピー禁止であることを示す制御情報とともに前記記録媒体に記録し、記録された前記ディジタル映像情報を再生して出力するときには、これ以上はコピー禁止であることを示す制御情報とともに出力し、
受信した前記コピー制御情報がコピー禁止を示す場合には、上記記録再生及び上記出力において、受信した前記ディジタル映像情報を前記記録媒体に再生可能な期間を制限して一時記録し、再生して出力する前記ディジタル映像情報に付随する制御情報をコピー禁止かつ一時記録を許さないことを示す情報に書換えることにより、一時記録された前記ディジタル映像情報を再生可能な期間内に再生して出力するときには、コピー禁止かつ一時記録を許さないことを示す制御情報とともに出力することを特徴とするディジタル情報送受信方法。
【請求項４】
ディジタル映像情報をディジタル情報受信装置へ送信するディジタル情報送信方法において、
コピー制御情報を生成し、
前記ディジタル映像情報を前記コピー制御情報とともに送信し、
前記コピー制御情報は、少なくとも前記ディジタル映像情報の前記ディジタル情報受信装置に装てんされた記録媒体へのコピー禁止、一世代のみコピー可、コピー可を含む複数の状態のいずれかを示し、
前記コピー制御情報が一世代のみコピー可を示す場合には、前記ディジタル情報受信装置において前記ディジタル映像情報を受信したときに、受信した前記ディジタル映像情報をこれ以上はコピー禁止であることを示す制御情報とともに前記記録媒体に記録し、記録された前記ディジタル映像情報を再生して出力するときには、これ以上はコピー禁止であることを示す制御情報とともに出力することを示し、
前記コピー制御情報がコピー禁止を示す場合には、前記ディジタル情報受信装置において前記ディジタル映像情報を受信したときに、受信した前記ディジタル映像情報を前記記録媒体に再生可能な期間を制限して一時記録し、再生して出力する前記ディジタル映像情報に付随する制御情報をコピー禁止かつ一時記録を許さないことを示す情報に書換えることにより、一時記録された前記ディジタル映像情報を再生可能な期間内に再生して出力するときには、コピー禁止かつ一時記録を許さないことを示す制御情報とともに出力することを示すことを特徴とするディジタル情報送信方法。